(57)【特許請求の範囲】
【請求項１】
複数の経糸（３）を有する経糸束（４）と、
複数の緯糸（５）を有する緯糸束（６）と、を具備し、
前記経糸束（４）と前記緯糸束（６）とは、このメッシュ織物（１）の内側メッシュ（７）を囲んでおり、
前記経糸束（４）は、第１の経糸グループ（４´）と第２の経糸グループ（４´´）とに分けられており、
互いに直角に延びている前記経糸束（４）と前記緯糸束（６）との交点部（８）では、互いにほぼ平行に延びている前記両経糸グループ（４´，４´´）の前記経糸（３）が、前記緯糸（５）に織り込まれている、
接着剤で処理される目の粗いメッシュ織物（１）において、
前記２つの経糸グループ（４´，４´´）は、夫々、ハーフ・クロス・レノにより、２つの前記緯糸束（６）間で即ち各メッシュ（７）において、当該経糸束（４）の他方の経糸グループ（４´，４´´）に交差している、
ことを特徴とするメッシュ織物。
【請求項２】
緯糸束（６）の前記緯糸（５）の第１のグループ（６´）は、前記第１の経糸グループ（４´）の前記経糸（３）の上と前記第２の経糸グループ（４´´）の前記経糸（３）の下とへ延びており、緯糸束（６）の前記緯糸（５）の第２のグループ（６´´）は前記第１の経糸グループ（４´）の前記経糸（３）の下と前記第２の経糸グループ（４´´）の前記経糸（３）の上とへ延びていることを特徴とする請求項１のメッシュ織物。
【請求項３】
緯糸束（６）の奇数番目の緯糸（５）の各々は前記第１のグループ（６´）に属し、偶数番目の緯糸（５）の各々は緯糸束（６）の前記緯糸（５）の前記第２のグループ（６´´）に属していることを特徴とする請求項２のメッシュ織物。
【発明の詳細な説明】
【０００１】
【発明の属する技術分野】
本発明は、複数の経糸を有する経糸束と、複数の緯糸を有する緯糸束と、を具備し、前記経糸束と前記緯糸束とは、このメッシュ織物の内側メッシュを囲んでおり、前記経糸束は、第１の経糸グループと第２の経糸グループとに分けられており、互いに直角に延びている前記経糸束と前記緯糸束との交点部では、互いにほぼ平行に延びている前記両経糸グループの前記経糸が、前記緯糸に織り込まれている、接着剤で処理される目の粗いメッシュ織物に関する。
【０００２】
【従来の技術】
特に、ビチューメンで結合された路面を補強するために、あるいはセメント又は石膏で結合されたモルタル層、プラスター等を補強するために、あるいは地面用メッシュ織物として地面を補強するために用いられる、このタイプのメッシュ織物は、ドイツ特許公開公報（ＤＥ−ＯＳ）第20 00 937号、第31 20 661号、第31 36 026号、第41 23 055号及び米国特許第5,965,467号から公知である。実際また、これらのメッシュ織物を漁労用網として又はニワトリの飼育用の地面用のメッシュ織物として用いることができる。
【０００３】
経糸及び緯糸は、特に、アラミド、ポリエステル等製の、高い引張り強さを有するマルチフィラメント合成ヤーンからなることは好ましい。グラスフィラメントヤーンも用いることができる。
【０００４】
経糸束、緯糸束及びこれらの束の交点を被覆して、メッシュ織物を固定し、化学的及び機械的負荷から保護する接着剤としては、用途に応じて、塩ビプラスチゾル、ビチューメン、アクリル酸塩、適切な軟質合成樹脂、又は、これらの混合物からなる、分散液又はラテックス分散液であってもよい。
【０００５】
【発明が解決しようとする課題】
目の粗いメッシュ織物は、接着剤による含浸及び被覆の前に、非常に緩やかである。それ故に、特別な措置を講じない限りは、経糸及び緯糸は容易にずらされる。目の粗いメッシュ織物の十分な安定性を達成するには、経糸を緯糸に織り込むことでは十分でない。経糸束の経糸と緯糸束の緯糸とを纏めるためには、公知のメッシュ織物の場合、経糸束の平行に延びている経糸の上へジグザグに通っており、経糸束の片方の側では緯糸束の下方へと延びている少なくとも１本の細いレノ糸(Dreherfaden)は、各経糸束に関連している。ハーフ・クロス・レノ又はフル・クロス・レノの形態であり得るこれらのレノ糸は、メッシュ織物を接着剤で含浸及び／又は被覆するまで経糸束の経糸及び緯糸束の緯糸を纏めるという機能を有するにすぎない。米国特許第5,965,467号からは、経糸束の並び合っている経糸が２つのグループに分けられており、特に、奇数番目の糸が一方のグループに、偶数番目の糸が他方のグループに分けられており、それ故に、一方のグループの糸が他方のグループの糸の隣に位置している、メッシュ織物が公知である。各々のメッシュでは、このような経糸対の糸がフル・クロス・レノのように２度交差している。これらのメッシュ織物の交点では、各々の緯糸は、経糸束のすべての経糸対の間を通っているので、交点では、経糸は緯糸に互いに織り込まれていて、リネン織物が形成される。この公知のメッシュ織物は織物技術の点で非常にコストがかかるのに、経糸束の経糸が纏められることが達成されない。更に、緯糸束と経糸束との交点での緯糸と経糸の多数の交差は、緯糸束の２つのグループの緯糸が、並び合っている経糸の間で、逆方向に通されているので、経糸が、交点でない領域でよりも幅広である、という欠点を有する。更に、経糸と緯糸の頻繁な交差は、メッシュ織物がこの交差がない場合よりも伸びるという作用を有する。
【０００６】
本発明の目的は、織物技術的に達成された固定が公知のメッシュ織物の場合よりも頑丈であり、また、補強される地面又は補強される層との、公知のメッシュ織物の場合よりも強い噛み合いが、経糸束の経糸の、公知のメッシュ織物の場合よりも密な纏まりによって、達成されているメッシュ織物を提供することである。
【０００７】
【課題を解決するための手段】
この課題は、本発明に従って、複数の経糸を有する経糸束と、複数の緯糸を有する緯糸束と、を具備し、前記経糸束と前記緯糸束とは、このメッシュ織物の内側メッシュを囲んでおり、前記経糸束は、第１の経糸グループと第２の経糸グループとに分けられており、互いに直角に延びている前記経糸束と前記緯糸束との交点部では、互いにほぼ平行に延びている前記両経糸グループの前記経糸が、前記緯糸に織り込まれている、接着剤で処理される目の粗いメッシュ織物において、前記２つの経糸グループは、夫々、ハーフ・クロス・レノにより、２つの前記緯糸束間で即ち各メッシュにおいて、当該経糸束の他方の経糸グループに交差していることによって、解決される。
【０００８】
経糸束の一方のグループの経糸が各々のメッシュでこの束の他方のグループと交差し、耐荷重の経糸が密に並び合って緯糸に織り込まれていることによって、経糸も緯糸もずらされない非常に安定的なメッシュ織物が製造される。交点では、２つの経糸グループの経糸が互いに平行に延びている。安定化のための追加のレノ糸は不要である。更に、経糸束の太さが経糸の倍の太さであり、経糸束が、平面図で見て、平行に延びる経糸の場合よりも平均で約５０％細いことが達成される。この特性によって、並びに経糸束と緯糸束とを交点で従来の技術よりもしっかりと纏めることによって、地面用メッシュ織物の場合、安定化される又は補強される地面との、従来の技術よりも良好な噛み合いが達成される。メッシュの、内側の横断面も増大されているので、特に地面用メッシュ織物の場合に望ましくない分離作用は減少されている。
【０００９】
本発明の好ましい実施の形態では、経糸束と緯糸との交点での織り込みは、緯糸束の緯糸の第１のグループが、第１の経糸グループの経糸の上と第２の経糸グループの経糸の下とへ延びており、緯糸束の緯糸の第２のグループが第１の経糸グループの経糸の下と第２の経糸グループの経糸の上とへ延びているように、なされる。この態様で、緯糸束の並び合っている緯糸のうち、１本の緯糸が経糸グループの上に及び隣の緯糸がこの経糸グループの下に交互に延びていることは、適切である。
【００１０】
【発明の実施の形態】
以下の記述において、図面を参照しつつ本発明の１つの実施の形態を詳述する。図１が示すように、メッシュ織物(Gittergewebe)は、例えば８本の経糸３からなる経糸束４と、８本の緯糸５からなる緯糸束６によって形成されている。緯糸束６及び経糸束４は各々の内側のメッシュ７を囲んでいる。経糸束４は第１の経糸グループ４´及び第２の経糸グループ４´´に分けられている。これらの２つの経糸グループ４´及び４´´は、交点８で、緯糸束６の緯糸５に織り込まれており、互いにほぼ平行に延びている。２本の緯糸束６の間で、すなわち各メッシュ７で、一方の経糸グループ４´は経糸束４の他方の経糸グループ４´´と交差している。
【００１１】
交点８での織り込みは、この実施の形態では、緯糸束６の緯糸５の第１のグループ６´が、第１の経糸グループ４´の経糸３の上と第２の経糸グループ４´´の経糸３の下とへ延びており、緯糸束６の緯糸５の第２のグループ６´´は第１の経糸グループ４´の経糸３の下と第２の経糸グループ４´´の経糸３の上とへ延びているように、なされる。
【００１２】
この織り込みの方法は、特に、図２の拡大図から見て取れる。この図からは、下から数えて奇数番目の緯糸５の各々は第１の経糸グループ４´の上へ次に経糸束４の経糸グループ４´´の下へ延びており、他方、偶数番目の緯糸５の各々は経糸束の第１の経糸グループ４´の下へ次に第２の経糸グループ４´´の上へ延びていることが認められる。
【図面の簡単な説明】
【図１】  本発明に係わるメッシュ織物の平面図を示している。
【図２】  １つの経糸束の交差し合うグループ、並びに、経糸と緯糸との交点の拡大図を示している。
【符号の説明】
１  メッシュ織物
３  経糸
４  経糸束
４´  第１の経糸グループ
４´´  第２の経糸グループ
５  緯糸
６  緯糸束
６´  第１のグループ
６´´  第２のグループ
７  内側のメッシュ
８  交点
【図１】
0004011916.tif 000002
【図２】
0004011916.tif 000003